(57)【要約】【課題】各種従来技術では手間を要したり、製造工程に起因して本冊の中身の見栄えが悪くなったり、分離時の見栄えが悪かった。【解決手段】製本工程として本冊10の中身11の一部となる台紙12又は折丁の接着面と分冊物１の接着面に、剥離可能で剥離後に非粘着性の接着剤を塗布し、分冊物１の背を台紙12又は折丁の背より離隔した位置で台紙12又は折丁及び分冊物１を接着し、接着一体化された台紙12又は折丁及び分冊物１とその他の折丁を丁合し、表紙22を取付け製本する工程と成し、製品として本冊10の１葉に分冊物１を接着することによって、製本工程を自動化し、本冊の三方断裁仕上げ工程での欠け、シワ等の損傷を防止し、分冊物の取り外し後も通常形態の本冊と成し、本冊の用紙脱落を防止する。【選択図】      図１
2005059417.tif 000002
【特許請求の範囲】
【請求項１】
本冊の中身の一部となる台紙又は折丁の接着面と分冊物の接着面に、剥離可能で剥離後に非粘着性の接着剤を塗布し、分冊物の背を台紙又は折丁の背より離隔した位置で台紙又は折丁及び分冊物を接着し、接着一体化された台紙又は折丁及び分冊物とその他の折丁を丁合し、製本する様にしたことを特徴とする付録合体本の製造方法。
【請求項２】
本冊の１葉を被貼着紙と成すと共に、被貼着紙の接着面と分冊物の接着面を剥離可能で剥離後に非粘着性の接着剤で接着し、本冊の小口と分冊物の小口を同一位置と成すと共に、分冊物の背の位置を本冊ののどより離隔したことを特徴とする付録合体本。
【請求項３】
分冊物をハガキと成したことを特徴とする請求項２記載の付録合体本。
【発明の詳細な説明】
【技術分野】
【０００１】
本発明は、雑誌・書籍・カタログ等の本冊に付録本・チラシ・パンフレット・ハガキ等の分冊物を綴じ込み、分冊物を本冊から分離して使用できる付録合体本に関し、特に分離後の見栄えが通常本の形態と同一で、製造容易とする付録合体本および付録合体本の製造方法に関する。
【背景技術】
【０００２】
従来、付録本等の分冊物ａを雑誌・カタログ等の本冊ｂに綴じ込む方法として、図示していないが、夫々完成した本冊に分冊物をセットする時に、本冊から分冊物が抜け落ちない様に、本冊の任意位置に分冊物を挿入した後、分冊物の中央と本冊の背部分に輪ゴムを掛け渡す方法（従来技術１）が用いられている他、分冊物と本冊の製本前、完成前の製造工程で本冊に分冊物を綴じ込むことも行われていた。
【０００３】
例えば、図１１に示す様に、綴じ込む分冊物ａの表紙ｃの片面を長くすると共に、分冊物ａの小口ｄサイズに合わせた位置の表紙ｃに切り取りミシン目ｅ加工を施し、他の中身（折丁）ｆと共に分冊物ａを綴じ込む方法（従来技術２）が用いられていた。
又、図１２に示す様に、本冊ｂの前後及び中間部に綴じ込んだ２ッ折加工の袋体ｇの間に分冊物ａを挿入して本冊ｂに分冊物ａを綴じ込む方法（従来技術３）、図１３に示す様に、従来技術３の綴じ込み方法において、２ッ折した袋体ｇの背近接箇所に穴明け加工を施し、加工穴から内部に接着剤ｈを注入し、袋体ｇと分冊物ａの表紙ｃの一部を接着して一体化させ、両者間にある程度の接着強度を持たせて、袋体ｇから分冊物ａが不用意に抜けなくした綴じ込み方法（従来技術４）が用いられていた。
更に、図１４に示す様に、分冊物ａの表紙ｃの背ｉおよび背近接箇所に剥離用シリコン溶剤ｊを塗布した分冊物ａを本冊ｂに綴じ込む方法（従来技術５）（例えば、特許文献１参照）等が用いられていた。
【０００４】
又、カタログ・雑誌類では本体にハガキを綴じ込んでいるが、綴じ込み方法としては、図示していないが、中身の折丁へ貼り込まれて本体綴基への綴じ込み個所となる綴り部分とハガキ部分の境界位置に切り取りミシン目加工を施すと共に、ミシン目を介して連設された綴り部分を折丁の綴り側に貼着し、この折丁を本体の綴基に綴じ込んでいた（従来技術６）。
【０００５】
【特許文献１】特開平１１−１９８５６１号公報
【発明の開示】
【発明が解決しようとする課題】
【０００６】
解決しようとする問題点は、従来技術１の場合、本冊ｂに分冊物ａを挿入し輪ゴムの掛け渡しは全て手作業で手間を要していた。
又、従来技術２の場合、製本最終段階の三方断裁仕上げの為に綴じ込む分冊物ａは背ｉ側を本冊ｂの小口ｋ寸法より短く綴じ込む必要があり、その結果、特に分冊物ａが厚い場合には分冊物ａの背ｉと本冊ｂの小口ｋに空洞部分ｌが出来、カッターを降下させる三方断裁仕上げの時、その空洞部分ｌに近接する本冊ｂの小口ｋの中身ｆは支持されていないため、シワが発生したり、本冊ｂの小口ｋの寸法不揃い（カブリ）が発生したり、輪転機によって印刷された折丁の場合には本体（中身ｆ）が欠けてしまう事も起きた。
又、三方断裁仕上げ時には通常数冊を同時に断裁しているが、一度に断裁する冊数が多いとカブリがひどくなるため、三方断裁機での仕上げを行う冊数を通常より少なくせねばならず、生産効率が悪くなりコスト高になってしまっていた。
更に、綴じ込み前の分冊物ａは下加工を行う必要があり、即ち、分冊物ａの本文となる折丁のみで丁合し、背ｉで仮綴した後、小口ｄ部分のみ仕上げ断裁を行い、次に仮綴した本文に綴じ込み部分（ミシン目ｅより突出した部分）が付いた表紙ｃをかぶせ、再度中綴機に掛け本文と表紙ｃを綴じているが、この時には仮綴されている小口ｄ部分に機械の爪が掛からないから自動鞍掛機で製本出来ず、手作業で中綴じ機械に掛けることになり、手間を要していた。
【０００７】
従来技術３〜５の場合には、分冊物ａを外した場合に、その分冊物ａの厚み部分が全くの空洞になってしまったり、本冊ｂのみ使用する場合に見栄えの悪い本になってしまい、従来技術５では場合によっては空洞部分の隣接箇所よりページが抜け落ちる状況があった。
【０００８】
又、従来技術６の場合には、ハガキの綴じ込み位置は綴基のため、ハガキの存在が薄くなったり、ミシン目による切り取りのため、ハガキの端部に繋ぎ目が残存し見栄えが悪くなり、更に本体への綴じ込み部分が残存し、本冊の見栄えも多少悪くなっていた。
【課題を解決するための手段】
【０００９】
本発明は、上記従来技術に基づく、従来技術１では手間を要する課題、従来技術２では製造工程の課題、並びに製造工程に起因する本冊の中身の見栄えの悪さ、従来技術３〜５では分離時の見栄えの悪さや、空洞部分から用紙脱落が発生する課題に鑑み、製本工程として、本冊の中身の一部となる台紙又は折丁の接着面と分冊物の接着面に、剥離可能で剥離後に非粘着性の接着剤を塗布し、分冊物の背を台紙又は折丁の背より離隔した位置で台紙又は折丁及び分冊物を接着し、接着一体化された台紙又は折丁及び分冊物とその他の折丁を丁合し、製本する工程と成している。
又、製品として、本冊の１葉を被貼着紙と成すと共に、被貼着紙の接着面と分冊物の接着面を剥離可能で剥離後に非粘着性の接着剤で接着し、本冊の小口と分冊物の小口を同一位置と成すと共に、分冊物の背の位置を本冊ののどより離隔することによって、製本工程を自動化し、本冊の欠け等の損傷を防止し、分冊物の取り外し後も空洞部分が発生せずに通常形態の本冊と成し、更に、空洞部分隣接個所からの用紙脱落を防止する様にして、上記課題を解決する。
又、従来技術６では挿入したハガキの存在感が弱かった課題に鑑み、分冊物をハガキと成すことによって、小口側に位置するハガキの認識度を増加し、存在感を高める様にして、上記課題を解決する。
【発明の効果】
【００１０】
要するに本発明は、製品である付録合体本においては、付録本等の分冊物を取り外した後の雑誌等の本冊は、分冊物を接着した台紙等の被貼着紙が残存するが、被貼着紙は本体の中身と同じサイズに仕上がっている為、通常の本体の１ページとして綴じ込まれた状態で、通常形態の本と同一と成すことが出来る。
又、分冊物を取り外した台紙は粘着性がなく通常の１ページとして使用できたり、分冊物を取り外した時に、始めて記載内容が判明するシークレットページとして使用し、購買者の興味をひく販売方法の一策にすることが出来、又本冊に綴じ込まれた台紙等に接着された分冊物の抜け落ちを回避することが出来たり、従来発生していた前後ページの脱落も防止することが出来る。
【００１１】
又、製本工程においては、分冊物の下準備として表紙に接着剤を塗布したものを通常の中綴じ製本ラインで綴じ工程を行い、台紙と合せて圧着すれば良く、分冊物を本冊にセットすることも自動化する事が出来、製本工程の全体において通常工程で製本することが出来る。
更に、断裁に際して欠け等を生ずること無く見栄え良く綺麗に仕上げることが出来、且つ、カブリ発生等が無いため三方断裁機での数量の制限を考慮する必要がなく、効率良く断裁仕上げすることが出来る。
【００１２】
又、ハガキの貼り込みを本体の小口側へ寄せて貼り込みしたので、読者にハガキの存在を強くアピールする事が出来て宣伝効果も増大し、且つ、ハガキの剥離が容易で、仕上がった状態のハガキを貼る事が可能である為、剥離後も見栄えの良いハガキとすることが出来る等その実用的効果甚だ大である。
【発明を実施するための最良の形態】
【００１３】
以下、本発明の実施形態を図面に基づいて製造工程および完成品を説明する。
図３(a) の一部に示す様に、第１工程では、付録本・チラシ・パンフレット・ハガキ等の分冊物１の三方断裁仕上げ前で綴じ加工状態の仕上前分冊物２を製作する。
仕上前分冊物２は中身３となる折丁等に表紙４を付けて背５で中綴じして製作しており、この段階では、天６、地７、小口８の三方は断裁仕上げしておらず、完成品の分冊物１の三方より夫々大きくなっている。
尚、分冊物１となる仕上前分冊物２は折丁を中綴じしたもの（製本）を説明したが、綴じ方は別形式でも良く、又中身３も折丁以外でも良い（中身３をハガキで１葉のものは後述する）。
【００１４】
図３(a) に示す様に、第２工程では、仕上前分冊物２の表紙４の一面の接着面（図示のものでは下面）に後述する特定機能の接着剤９を塗布すると共に、雑誌・書籍・カタログ等の本冊10の中身11の一部となる台紙12の一面の接着面（図示のものでは上面）に同機能の接着剤9aを塗布し、接着剤９、9a同志を対面させて仕上前分冊物２と台紙12を圧着または熱圧着等して、図３(b) に示す様に、台紙12に仕上前分冊物２を接着して分冊一体化物13を製作する。
【００１５】
仕上前分冊物２の表紙４及び本冊10の台紙12の接着面に塗布する接着剤９、9aは、接着後に剥離可能で、且つ、剥離面が非粘着性（粘着性が無い又は弱い）の機能を有する材質で、例えば、天然ゴム系のコールドシール剤、グラビア糊、ＵＶコート等の接着剤であったり、接着剤に非親和性等の微細粒子を混入したものであったり、上記機能を有する感圧接着剤、感熱接着剤、紫外線硬化型粘着剤等が使用され、表紙４及び本冊10の接着面の一部または全面に接着剤９、9aを塗布している。
【００１６】
尚、仕上前分冊物２を接着一体化する台紙12は、図示のものでは厚紙状で単葉のものを示したが、本冊10の中身11の１用紙であれば如何なるものでも良く、後述する様に、本冊10に綴じ込まれる折丁14の外側用紙としても良い。
又、台紙12の大きさは多数の折丁14、14a …と同一大きさで、仕上前分冊物２と同様に三方断裁仕上げ前で断裁しろ15、15a …を三方に有する（図６参照）と共に、綴じ込み側である背16側にもカッター白17（図５参照）を有し、仕上前分冊物２と台紙12の接着時には両者の小口８、18側を揃えている。
又、台紙12に仕上前分冊物２を接着する位置については、無線綴機で表紙くるみをする場合の無線綴機のカッター19で断裁する部分と綴じ込まれた時に本の開き具合を考慮した任意の位置まで控えて、即ち、台紙12の背16側の端部より所定幅を離隔した位置に仕上前分冊物２の背５が位置する様に、台紙12に仕上前分冊物２の貼り込みをする。
【００１７】
図４に示す様に、第４工程では、前工程で接着一体化した台紙12と仕上前分冊物２から成る折丁14、14a …の上下に、本冊10の中身11となる複数の折丁14、14a …を丁合する。尚、台紙12と折丁14、14a …は共に、本冊10の中身11となるものであり、四方に断裁しろ15、15a …およびカッター白17を有した同一の大きさである。
【００１８】
図５に示す第５工程では、図５(a) に示す様に、前工程での丁合物20の背16に対して、カッター19でカッター白17を断裁すると共に、図５(b) に示す様に、ガリ刃19a でガリ溝を入れ、図５(c) に示す様に、後述の接着剤塗布装置21によりガリ溝に接着剤34を挿入して強度を形成すると共に、カッター面に接着剤34を塗布した後、図５(e) に示す様に、表紙22を接着して仕上前本冊23を製作する。
尚、接着剤塗布装置21の一例を図５(c) に基づいて説明すると、接着剤槽33に溶融ホットメルト（接着剤34）を収納すると共に、回転自在な２連の転写ドラム35の下部を接着剤34内に没入させ、ドラム35の上部に丁合物20の背16を接触させて移動させることにより、ドラム35の表面に付着した接着剤34を転写する様に丁合物20の背16に塗布している。
【００１９】
図６に示す様に、第６工程では、前工程で製作した仕上前本冊23を数冊積み上げ、背16以外の三方（天24、地25、小口26側の断裁しろ15、15a …）をカッター27、27a …で断裁し、分冊物１を本冊10から分離可能な付録合体本（図１のもの）を製作する。
【００２０】
次に、製作された付録合体本を説明する。
図１に示す様に、本冊10の中身11、本文の１葉（１枚の用紙で、製作工程の台紙12又は折丁14の表紙４）を被貼着紙28と成し、分冊物１と被貼着紙28の対向面である接着面に、弱接着力で接着し、被貼着紙28から分冊物１を剥離可能で、且つ、剥離後の剥離面（剥離した接着剤表面に相当）の粘着性が低い又は無い接着剤９、9aで接着されている。
そして、本冊10の小口29と分冊物１の小口30は同一位置と成すと共に、分冊物１の背５の位置を本冊10ののど31（製作工程における台紙12又は折丁14の背16に相当）より小口29（製作工程における小口８、18に相当）側に離隔している。
【００２１】
次に、本発明に係る付録合体本の作用について説明する。
図１に示す様に、製本され販売される時点では、分冊物１は本冊10の内部に挿入接着されて固定されており、且つ、小口29、30が同一位置で通常本の体裁を有して、のど31側では空間があって、分冊物１の存在を知ることが出来る。
図２に示す様に、分冊物１の挿入個所を開いて、本冊10の被貼着紙28から分冊物１を剥離分離して、本冊10と分冊物１を別々の書物等として使用する。
又、被貼着紙28と分冊物１の接着面は非粘着性の接着剤９、9aであるため、他の物に接着せずに支障なく使用可能となる。
【００２２】
次に、分冊物１と本冊10等の変形例について説明する。
分冊物１を接着する被貼着紙28として台紙12を説明したが、図７、８に示す様に、台紙12に代えて折丁14の外側用紙に分冊物１を接着しても良い。
又、台紙12は折丁14と同一の大きさで両者の小口８、18を揃える例を示したが、図９に示す様に、仕上前分冊物２を接着する台紙12の大きさは小口18側で小さくしても良く、断裁しろ15、15a …は天６と地７側では仕上前分冊物２と台紙12の両者が有すると共に、小口８側では仕上前分冊物２だけが有している。
又、分冊物１として中身３が４ツ折の折丁の様な厚いものを説明したが、２ツ折、３ツ折等の薄い折込チラシと成しても良く、或いは、図１０に示す様に、分冊物１を単葉のハガキ32と成しても良く、この場合でも、ハガキ32は小口側に位置するが、天、地の方向では任意の位置に設定することが可能である。
【００２３】
尚、台紙12又は折丁14、14a …の被貼着紙28は分冊物１を接着する機能の他、本冊10の本文の１ページとして内容記載しても良く、或いは、特殊記事を記載して分冊物１を取り外した段階で内容確認が可能となる様にシークレットページとしても良い。
【図面の簡単な説明】
【００２４】
【図１】台紙に分冊物を接着した付録合体本の斜視図である。
【図２】本冊から分冊物を分離した状態を示す部分斜視図である。
【図３】台紙に仕上前分冊物を接着する工程を示す図である。
【図４】台紙に仕上前分冊物を接着した分冊一体化物に対して、他の折丁を丁合する工程を示す図である。
【図５】背をカットし、糊付け後に表紙を取付ける工程を示す図である。
【図６】仕上前本冊を５冊同時に三方断裁する工程を示す図である。
【図７】折丁に仕上前分冊物を接着した分冊一体化物に対して、他の折丁を丁合する工程を示す図である。
【図８】折丁に分冊物を接着した付録合体本の部分斜視図である。
【図９】分冊物を接着する台紙を小さなものとした例を示す図である。
【図１０】ハガキを分冊物とした付録合体本の部分斜視図である。
【図１１】従来技術２を示す図である。
【図１２】従来技術３を示す図である。
【図１３】従来技術４を示す図である。
【図１４】従来技術５を示す図である。
【符号の説明】
【００２５】
１          分冊物
５          背
８          小口
９、9a      接着剤
10          本冊
11          中身
12          台紙
13          分冊一体化物
14、14a …  折丁
16          背
22          表紙
29          小口
30          小口
31          のど
32          ハガキ
【図１】
2005059417.tif 000003
【図２】
2005059417.tif 000004
【図３】
2005059417.tif 000005
【図４】
2005059417.tif 000006
【図５】
2005059417.tif 000007
【図６】
2005059417.tif 000008
【図７】
2005059417.tif 000009
【図８】
2005059417.tif 000010
【図９】
2005059417.tif 000011
【図１０】
2005059417.tif 000012
【図１１】
2005059417.tif 000013
【図１２】
2005059417.tif 000014
【図１３】
2005059417.tif 000015
【図１４】
2005059417.tif 000016